(57)【要約】【課題】接着剤ディスペンサの内の接着剤を冷めた状態から設定温度まで昇温するのに必要な時間を短くできると共に、接着剤の温度が許容温度範囲（設定温度±許容温度変化量）を越えてオーバーシュートすることを防止する。【解決手段】接着剤ディスペンサ１１に形成した温度調節通路２２，２３に温度調節用の空気を流して接着剤の温度を調節するシステムおいて、接着剤温度センサで検出した接着剤温度が設定温度から所定温度以上離れている場合には、入口側空気温度と設定温度との温度差を大きくして接着剤温度を設定温度に向かって急速に変化させるように調節する“急速温調モード”を選択する。そして、接着剤温度センサで検出した接着剤温度が設定温度から所定温度以内に入っている場合には、入口側空気温度センサで検出した入口側空気温度が設定温度又はその付近となるように調節する“保温モード”を選択する。【選択図】図１
2008194579.tif 000002
【特許請求の範囲】
【請求項１】
接着剤ディスペンサ内の接着剤を温度調節する接着剤ディスペンサの温度調節装置において、
前記接着剤ディスペンサ内の接着剤を温度調節するための熱交換媒体を流通させる温度調節通路と、
前記温度調節通路の入口側で熱交換媒体の温度（以下「入口側熱交換媒体温度」という）を検出する入口側熱交換媒体温度検出手段と、
前記接着剤ディスペンサ内の接着剤の温度を直接又は間接的に検出する接着剤温度検出手段と、
前記温度調節通路に供給する熱交換媒体の温度を調節する熱交換媒体温度調節手段とを備え、
前記熱交換媒体温度調節手段は、前記接着剤温度検出手段で検出した接着剤温度が設定温度から所定温度以上離れている場合には、前記熱交換媒体の温度と前記設定温度との温度差を大きくして接着剤温度を設定温度に向かって急速に変化させるように調節し、前記接着剤温度検出手段で検出した接着剤温度が前記設定温度から前記所定温度以内に入っている場合には、前記入口側熱交換媒体温度検出手段で検出した入口側熱交換媒体の温度が前記設定温度又はその付近となるように調節することを特徴とする接着剤ディスペンサの温度調節装置。
【請求項２】
接着剤ディスペンサ内の接着剤を温度調節する接着剤ディスペンサの温度調節装置において、
前記接着剤ディスペンサ内の接着剤を温度調節するための熱交換媒体を流通させる温度調節通路と、
前記温度調節通路の出口側で熱交換媒体の温度（以下「出口側熱交換媒体温度」という）を検出する出口側熱交換媒体温度検出手段と、
前記接着剤ディスペンサ内の接着剤の温度を直接又は間接的に検出する接着剤温度検出手段と、
前記温度調節通路に供給する熱交換媒体の温度を調節する熱交換媒体温度調節手段とを備え、
前記熱交換媒体温度調節手段は、前記接着剤温度検出手段で検出した接着剤温度が設定温度から所定温度以上離れている場合には、前記熱交換媒体の温度と前記設定温度との温度差を大きくして接着剤温度を設定温度に向かって急速に変化させるように調節し、前記接着剤温度検出手段で検出した接着剤温度が前記設定温度から前記所定温度以内に入っている場合には、前記出口側熱交換媒体温度検出手段で検出した出口側熱交換媒体の温度が前記設定温度又はその付近となるように調節することを特徴とする接着剤ディスペンサの温度調節装置。
【請求項３】
前記接着剤温度検出手段は、前記接着剤ディスペンサの吐出ノズル付近の温度を接着剤温度として検出することを特徴とする請求項１又は２に記載の接着剤ディスペンサの温度調節装置。
【請求項４】
接着剤ディスペンサ内の接着剤を温度調節する接着剤ディスペンサの温度調節装置において、
前記接着剤ディスペンサ内の接着剤を温度調節するための熱交換媒体を流通させる温度調節通路と、
前記温度調節通路の入口側で熱交換媒体の温度（以下「入口側熱交換媒体温度」という）を検出する入口側熱交換媒体温度検出手段と、
前記温度調節通路の出口側で熱交換媒体の温度（以下「出口側熱交換媒体温度」という）を検出する出口側熱交換媒体温度検出手段と、
前記温度調節通路に供給する熱交換媒体の温度を調節する熱交換媒体温度調節手段とを備え、
前記熱交換媒体温度調節手段は、前記出口側熱交換媒体温度検出手段で検出した出口側熱交換媒体温度が接着剤の設定温度から所定温度以上離れている場合には、前記熱交換媒体の温度と前記設定温度との温度差を大きくして接着剤温度を設定温度に向かって急速に変化させるように調節し、前記出口側熱交換媒体温度検出手段で検出した出口側接着剤温度が前記設定温度から前記所定温度以内に入っている場合には、前記入口側熱交換媒体温度検出手段で検出した入口側熱交換媒体の温度が前記設定温度又はその付近となるように調節することを特徴とする接着剤ディスペンサの温度調節装置。
【請求項５】
前記接着剤ディスペンサは、部品実装機の温度調節テーブル部にセットされた状態で前記熱交換媒体温度調節手段によって接着剤の温度が調節され、接着剤塗布作業時に該部品実装機の装着ヘッドに吸着保持されることを特徴とする請求項１乃至４のいずれかに記載の接着剤ディスペンサの温度調節装置。
【発明の詳細な説明】
【技術分野】
【０００１】
本発明は、接着剤ディスペンサ内の接着剤を温度調節する接着剤ディスペンサの温度調節装置に関する発明である。
【背景技術】
【０００２】
従来の接着剤ディスペンサの温度調節装置としては、例えば特許文献１（特開平１０−９９７５６号公報）に記載されているように、接着剤ディスペンサの吐出ノズル近傍に、温度調節用の空気を流通させる温度調節空気通路を形成して、この温度調節用の空気の温度を接着剤の設定温度と同一温度に調節することで、接着剤ディスペンサの吐出ノズル付近の接着剤の温度を設定温度に調節するようにしたものがある。
【特許文献１】特開平１０−９９７５６号公報
【発明の開示】
【発明が解決しようとする課題】
【０００３】
近年、部品実装機の装着ヘッドに接着剤ディスペンサを吸着保持させることで、接着剤ディスペンサを自動交換できるようにしたものがある。このシステムでは、接着剤塗布作業中は、接着剤ディスペンサが温度調節装置（温度調節用の空気の供給源）から切り離されて接着剤の温度調節を行うことができないため、接着剤の温度調節は、接着剤塗布作業を行っていないとき（つまり接着剤ディスペンサが温度調節テーブル部に準備されているとき）のみ行われる。
【０００４】
従来のシステムでは、温度調節用の空気の温度を設定温度に調節することで、接着剤ディスペンサの吐出ノズル付近の接着剤の温度を設定温度に調節するようにしているため、接着剤を冷めた状態から設定温度まで昇温するのに長い時間を必要とする（温度調節用の空気の温度と接着剤の温度との温度差が小さいためである）。
【０００５】
部品実装機の装着ヘッドに接着剤ディスペンサを吸着保持させるシステムでは、接着剤ディスペンサの交換が頻繁に起こるため、接着剤を冷めた状態から設定温度まで昇温する時間を短くする必要がある。
【０００６】
そこで、この要求を満たすために、接着剤を冷めた状態から設定温度まで昇温する際に、温度調節用の空気の温度を設定温度よりも十分に高くして接着剤の温度調節を高速化することが考えられるが、このようにすると、熱慣性により接着剤の温度が許容温度範囲（設定温度±許容温度変化量）を越えてオーバーシュートしやすくなるという問題が発生する。
【０００７】
本発明はこのような事情を考慮してなされたものであり、従ってその目的は、接着剤ディスペンサ内の接着剤を冷めた状態から設定温度まで昇温するのに必要な時間を短くできると共に、接着剤の温度が許容温度範囲（設定温度±許容温度変化量）を越えてオーバーシュートすることを防止でき、接着剤の温度調節の高速化と熱慣性によるオーバーシュート防止とを両立させることができる接着剤ディスペンサの温度調節装置を提供することにある。
【課題を解決するための手段】
【０００８】
上記目的を達成するために、請求項１に係る発明は、接着剤ディスペンサ内の接着剤を温度調節するための熱交換媒体を流通させる温度調節通路と、前記温度調節通路の入口側で熱交換媒体の温度（以下「入口側熱交換媒体温度」という）を検出する入口側熱交換媒体温度検出手段と、前記接着剤ディスペンサ内の接着剤の温度を直接又は間接的に検出する接着剤温度検出手段と、前記温度調節通路に供給する熱交換媒体の温度を調節する熱交換媒体温度調節手段とを備え、前記熱交換媒体温度調節手段は、前記接着剤温度検出手段で検出した接着剤温度が設定温度から所定温度以上離れている場合には、前記熱交換媒体の温度と前記設定温度との温度差を大きくして接着剤温度を設定温度に向かって急速に変化させるように調節する“急速温調モード”を選択し、前記接着剤温度検出手段で検出した接着剤温度が前記設定温度から前記所定温度以内に入っている場合には、前記入口側熱交換媒体温度検出手段で検出した入口側熱交換媒体の温度が前記設定温度又はその付近となるように調節する“保温モード”を選択するようにしたものである。
【０００９】
本発明では、接着剤ディスペンサ内の接着剤を冷めた状態から設定温度まで昇温する場合に、まず、急速温調モードで、熱交換媒体の温度と設定温度との温度差を大きくして接着剤温度を設定温度に向かって急速に昇温し、その後、接着剤温度検出手段で検出した接着剤温度が設定温度から所定温度以内に入った時点で、急速温調モードから保温モードに切り換えるようにしたので、接着剤を冷めた状態から設定温度まで昇温するのに必要な時間を急速温調モードによって短くできると共に、接着剤温度と設定温度との温度差が所定温度以内に入った時点で急速温調モードから保温モードに切り換えることで、接着剤の温度が許容温度範囲（設定温度±許容温度変化量）を越えてオーバーシュートすることを保温モードによって防止することができ、接着剤の温度調節の高速化と熱慣性によるオーバーシュート防止とを両立させることができる。
【００１０】
しかも、本発明では、接着剤の温度が熱交換媒体の温度に対して追従遅れがあることを考慮して、急速温調モードから保温モードに切り換えるタイミングを、接着剤温度検出手段で検出した接着剤温度と設定温度との温度差に基づいて判断するようにしたので、熱慣性によるオーバーシュート（接着剤の温度上昇量）を確実に防止できる範囲内で急速温調モードの実行時間を最大限に長くすることができる。また、保温モードでは、入口側熱交換媒体温度検出手段で検出した入口側熱交換媒体の温度を設定温度又はその付近となるように調節するため、実際の接着剤温度の微妙な変化に振り回されることなく、接着剤温度を設定温度又はその付近に安定して保つことができる。
【００１１】
また、保温モードでは、温度調節通路の出口側の熱交換媒体の温度（以下「出口側熱交換媒体温度」という）が接着剤温度に略一致することを考慮して、請求項２のように、入口側熱交換媒体温度検出手段に代えて、出口側熱交換媒体温度を検出する出口側熱交換媒体温度検出手段を設け、接着剤ディスペンサ内の接着剤を冷めた状態から設定温度まで昇温する場合に、まず、上記請求項１と同様の急速温調モードで、接着剤温度を設定温度に向かって急速に上昇させ、その後、接着剤温度検出手段で検出した接着剤温度が設定温度から所定温度以内に入った時点で、急速温調モードから保温モードに切り換え、出口側熱交換媒体温度検出手段で検出した出口側熱交換媒体の温度が設定温度又はその付近となるように調節するようにしても良い。このようにしても、請求項１と同様の効果を得ることができる。但し、熱交換媒体の流量が少ない場合は、出口側熱交換媒体温度が接着剤温度と一致しなくなる可能性があるため、熱交換媒体の流量が少ない場合は、前記請求項１のように、保温モード時に入口側熱交換媒体温度に基づいて接着剤の温度を管理した方が良い場合もある。
【００１２】
また、請求項３のように、接着剤温度検出手段は、接着剤ディスペンサの吐出ノズル付近の温度を接着剤温度として検出するようにすると良い。このようにすれば、接着剤ディスペンサの外部から接着剤温度を精度良く検出することができる。
【００１３】
また、急速温調モードでも、接着剤温度と出口側熱交換媒体温度とがある程度の相関性を持って変化するため、出口側熱交換媒体温度から接着剤温度を推定可能である。この点を考慮して、請求項４のように、入口側熱交換媒体温度検出手段と出口側熱交換媒体温度検出手段の両方を設けて（接着剤温度検出手段を省略して）、出口側熱交換媒体温度検出手段で検出した出口側熱交換媒体温度が接着剤の設定温度から所定温度以上離れている場合には、熱交換媒体の温度と設定温度との温度差を大きくして接着剤温度を設定温度に向かって急速に変化させるように調節する“急速温調モード”を選択し、前記出口側熱交換媒体温度検出手段で検出した出口側接着剤温度が前記設定温度から前記所定温度以内に入っている場合には、前記入口側熱交換媒体温度検出手段で検出した入口側熱交換媒体の温度が前記設定温度又はその付近となるように調節する“保温モード”を選択するようにしても良い。
【００１４】
この場合、出口側熱交換媒体温度から推定する接着剤温度の推定誤差を考慮して、その推定誤差分だけ余裕を持って急速温調モードから保温モードに早めに切り換えるようにすれば、接着剤の温度が許容温度範囲を越えてオーバーシュートすることを防止でき、接着剤の温度調節の高速化と熱慣性によるオーバーシュート防止とを両立させることができる。
【００１５】
以上説明した本発明は、請求項５のように、接着剤ディスペンサを部品実装機の温度調節テーブル部にセットした状態で前記熱交換媒体温度調節手段によって接着剤の温度を調節し、接着剤塗布作業時に該接着剤ディスペンサを部品実装機の装着ヘッドに吸着保持させて使用するようにすると良い。このようにすれば、部品実装機の稼働中に、接着剤ディスペンサの交換が頻繁に起こる場合でも、接着剤を冷めた状態から設定温度まで速やかに昇温させながら、熱慣性によるオーバーシュートを防止することができる。
【発明を実施するための最良の形態】
【００１６】
以下、本発明を実施するための最良の形態を具体化した５つの実施例１〜５を説明する。
【実施例１】
【００１７】
本発明の実施例１を図１乃至図４に基づいて説明する。
まず、図１に基づいて接着剤ディスペンサ１１の構成を説明する。
接着剤ディスペンサ１１の本体ケース１２内に、接着剤を貯留したシリンジ１３が収納されている。本体ケース１２の下端部には、シリンジ１３から供給される接着剤を吐出する吐出ノズル１４がナット部材２７によって下向きに固定されている。シリンジ１３内には、接着剤を押し出すためのフロート１５が収容されている。
【００１８】
本体ケース１２の下部には、熱交換媒体である温度調節用の空気を導入する入口２１と、この入口２１から導入した空気を吐出ノズル１４の上部周囲に沿って流通させる円環状の温度調節通路２２とが設けられている。本体ケース１２の内周面とシリンジ１３の外周面との間にも温度調節通路２３が設けられ、吐出ノズル１４の上部周囲の温度調節通路２２を流れる空気が連通孔２４からシリンジ１３の外周面の温度調節通路２３に流入して、本体ケース１２の周側面に形成された出口２５から排出されるようになっている。尚、熱交換媒体は空気以外の気体を使用しても良い。
【００１９】
以上のように構成された接着剤ディスペンサ１１は、部品実装機の装着ヘッド（図示せず）に吸着する前は、温度調節テーブル部（図示せず）に準備され、接着剤の塗布作業に使用する時に、この接着剤ディスペンサ１１を部品実装機の装着ヘッドに吸着保持させて接着剤の塗布作業を実行する。
【００２０】
温度調節テーブル部（接着剤ディスペンサの温度調節装置）には、図２に示すように、温度調節通路２２に供給する温度調節用の空気の温度を調節する空気温度調節装置３１（熱交換媒体温度調節手段）と、温度調節通路２２の入口２１側で温度調節用の空気の温度（以下「入口側空気温度」という）を検出する入口側空気温度センサ３２（入口側熱交換媒体温度検出手段）と、接着剤ディスペンサ１１の吐出ノズル１４付近の温度を接着剤温度として検出する接着剤温度センサ３３（接着剤温度検出手段）とが設けられている。
【００２１】
入口側空気温度センサ３２と接着剤温度センサ３３の出力信号は、接着剤温度管理用のコンピュータ３４に入力される。この接着剤温度管理用のコンピュータ３４は、部品実装機を制御するコンピュータを用いても良い。この接着剤温度管理用のコンピュータ３４は、後述する図４の接着剤温度管理プログラムを実行することで、接着剤温度センサ３３で検出した接着剤温度と入口側空気温度センサ３２で検出した入口側空気温度とに基づいて温度調節用の空気の温度を調節することで、接着剤ディスペンサ１１内の接着剤の温度を設定温度付近に維持するように管理する。
【００２２】
具体的には、図３に示すように、接着剤温度センサ３３で検出した接着剤温度が設定温度から所定温度以上（例えば２℃以上）離れている場合には、入口側空気温度と設定温度との温度差を大きくして接着剤温度を設定温度に向かって急速に変化させるように調節する“急速温調モード”を選択する。そして、接着剤温度センサ３３で検出した接着剤温度が設定温度から所定温度以内に入っている場合には、入口側空気温度センサ３２で検出した入口側空気温度が設定温度（又はその付近）となるように調節する“保温モード”を選択する。
【００２３】
ここで、急速温調モード実行中の接着剤温度の上昇速度は、接着剤ディスペンサ１１内の接着剤量によって変化し、接着剤量が少なくなるほど、接着剤温度の上昇速度が速くなって設定温度を越えてオーバーシュートしやすくなる。そこで、急速温調モードから保温モードに切り換えるときの接着剤温度（設定温度±所定温度）は、接着剤ディスペンサ１１内の接着剤量が少ない場合でも、接着剤温度が許容温度範囲（設定温度±許容温度変化量）を越えてオーバーシュートしないように設定されている。
【００２４】
以上説明した接着剤の温度管理は、接着剤温度管理用のコンピュータ３４によって図４の接着剤温度管理プログラムに従って実行される。この図４の接着剤温度管理プログラムは、部品実装機の稼働中に所定周期で実行され、特許請求の範囲でいう熱交換媒体温度調節手段としての役割を果たす。
【００２５】
図４の接着剤温度管理プログラムが起動されると、まずステップ１０１で、接着剤温度センサ３３で検出した接着剤温度と入口側空気温度センサ３２で検出した入口側空気温度を読み込む。この後、ステップ１０２に進み、接着剤温度が設定温度から所定温度以上離れているか否か（｜設定温度−接着剤温度｜＞所定温度であるか否か）を判定し、接着剤温度が設定温度から所定温度以上離れていれば、ステップ１０３に進み、温調モードを急速温調モードに設定する。
【００２６】
急速温調モードの実行中は、ステップ１０４で、接着剤温度を「設定温度±所定温度」と比較し、接着剤温度が「設定温度−所定温度」よりも低い場合は、ステップ１０５に進み、接着剤温度を急速加熱できるように、空気温度調節装置３１によって入口側空気温度を設定温度よりもかなり高い温度（設定温度＋ΔＴ）に調節する。これにより、接着剤ディスペンサ１１内の接着剤を急速加熱して、その接着剤温度を「設定温度−所定温度」まで急速に昇温させる。
【００２７】
一方、上記ステップ１０４で、「Ｎｏ」と判定された場合、つまり、接着剤温度が「設定温度＋所定温度」よりも高い場合は、ステップ１０６に進み、接着剤を急速冷却できるように、空気温度調節装置３１によって入口側空気温度を設定温度よりもかなり低い温度（設定温度−ΔＴ）に調節する。これにより、接着剤ディスペンサ１１内の接着剤を急速冷却して、その接着剤温度を「設定温度＋所定温度」まで急速に低下させる。
【００２８】
この急速温調モードの実行中に、接着剤温度センサ３３で検出した接着剤温度が設定温度から所定温度以内に入った時点（｜設定温度−接着剤温度｜≦所定温度となった時点）で、前記ステップ１０２で「Ｎｏ」と判定され、ステップ１０７に進み、温調モードを保温モードに切り換える。
【００２９】
保温モードの実行中は、ステップ１０８で、空気温度調節装置３１によって入口側空気温度を設定温度（又はその付近）に調節する。これにより、接着剤ディスペンサ１１内の接着剤の温度を設定温度（又はその付近）に維持する。
【００３０】
以上説明した本実施例１によれば、接着剤ディスペンサ１１内の接着剤を冷めた状態から設定温度まで昇温する場合に、まず、急速温調モードで、入口側空気温度と設定温度との温度差を大きくして接着剤温度を設定温度に向かって急速に昇温し、その後、接着剤温度センサ３３で検出した接着剤温度が設定温度から所定温度以内に入った時点で、急速温調モードから保温モードに切り換えるようにしたので、接着剤を冷めた状態から設定温度まで昇温するのに必要な時間を急速温調モードによって短くできると共に、接着剤温度と設定温度との温度差が所定温度以内に入った時点で急速温調モードから保温モードに切り換えることで、接着剤の温度が許容温度範囲（設定温度±許容温度変化量）を越えてオーバーシュートすることを保温モードによって防止することができ、接着剤の温度調節の高速化と熱慣性によるオーバーシュート防止とを両立させることができる。
【００３１】
しかも、本実施例１では、接着剤の温度が入口側空気温度に対して追従遅れがあることを考慮して、急速温調モードから保温モードに切り換えるタイミングを、接着剤温度センサ３３で検出した接着剤温度と設定温度との温度差に基づいて判断するようにしたので、熱慣性によるオーバーシュート（接着剤の温度上昇量）を確実に防止できる範囲内で急速温調モードの実行時間を最大限に長くすることができる。また、保温モードでは、入口側空気温度センサ３２で検出した入口側空気温度を設定温度（又はその付近）となるように調節するため、実際の接着剤温度の微妙な変化に振り回されることなく、接着剤温度を設定温度（又はその付近）に安定して保つことができる。
【実施例２】
【００３２】
保温モードでは、温度調節通路２２，２３の出口２５側の温度調節用の空気の温度（以下「出口側空気温度」という）が接着剤温度に略一致することを考慮して、本発明の実施例２では、入口側空気温度センサ３２（入口側熱交換媒体温度検出手段）に代えて、出口側空気温度を検出する出口側空気温度センサ（出口側熱交換媒体温度検出手段）を設け、接着剤ディスペンサ１１内の接着剤を冷めた状態から設定温度まで昇温する場合に、まず、上記実施例１と同様の急速温調モードで、接着剤温度を設定温度に向かって急速に上昇させ、その後、接着剤温度センサ３３で検出した接着剤温度が設定温度から所定温度以内に入った時点で、急速温調モードから保温モードに切り換え、出口側空気温度センサで検出した出口側空気温度が設定温度（又はその付近）となるように調節する。これ以外の点は前記実施例１と同じである。
【００３３】
本実施例２でも、前記実施例１と同様の効果を得ることができる。但し、温度調節通路２２，２３を流れる温度調節用の空気の流量が少ない場合は、出口側空気温度が接着剤温度と一致しなくなる可能性があるため、前記実施例１のように、保温モード時に入口側空気温度に基づいて接着剤の温度を管理した方が良い場合もある。
【実施例３】
【００３４】
急速温調モードでも、接着剤温度と出口側空気温度とがある程度の相関性を持って変化するため、出口側空気温度から接着剤温度を推定可能である。
この点を考慮して、本発明の実施例３では、入口側空気温度センサ３２（入口側熱交換媒体温度検出手段）と出口側空気温度センサ（出口側熱交換媒体温度検出手段）の両方を設けて、接着剤温度センサ３３（接着剤温度検出手段）を省略し、出口側空気温度センサで検出した出口側空気温度が接着剤の設定温度から所定温度以上離れている場合には、空気の温度と設定温度との温度差を大きくして接着剤温度を設定温度に向かって急速に変化させるように調節する“急速温調モード”を選択する。そして、出口側空気温度センサで検出した出口側接着剤温度が設定温度から所定温度以内に入っている場合には、入口側空気温度センサ３２で検出した入口側空気温度が設定温度（又はその付近）となるように調節する“保温モード”を選択する。
【００３５】
この場合、出口側空気温度から推定する接着剤温度の推定誤差を考慮して、その推定誤差分だけ余裕を持って急速温調モードから保温モードに早めに切り換えるようにすれば、接着剤の温度が許容温度範囲（設定温度±許容温度変化量）を越えてオーバーシュートすることを防止でき、接着剤の温度調節の高速化と熱慣性によるオーバーシュート防止とを両立させることができる。
【実施例４】
【００３６】
ところで、部品実装機の装着ヘッドに吸着保持させた接着剤ディスペンサ１１によって回路基板に接着剤を塗布する作業を開始する前に、接着剤の塗布位置を補正する必要がある。
【００３７】
従来の接着剤の塗布位置の補正方法は、捨て打ち（試し塗布）を行い、これを画像処理して接着剤の塗布位置を補正するようにしているが、接着剤ディスペンサ１１を自動交換する部品実装機では、接着剤ディスペンサ１１の交換が頻繁に行われるため、部品実装機の稼働中に接着剤ディスペンサ１１の交換毎に捨て打ちを行うと、捨て打ちが頻繁に行われるようになり、これが生産タクトを延ばして生産性を低下させる原因となる。
【００３８】
そこで、実施例４では、接着剤ディスペンサ１１の交換が行われる毎に、部品実装機の装着ヘッドに吸着保持された接着剤ディスペンサ１１の下面をカメラで撮像して、接着剤ディスペンサ１１の下面のうちの吐出ノズル１４と同心状に位置するナット部材２７の円形の外周縁（図１及び図５の円環状隙間２８）を画像処理によって認識して、このナット部材２７の円形の外周縁（円環状隙間２８）の中心位置を算出し、この中心位置を吐出ノズル１４の位置（接着剤の塗布位置）と見なして接着剤の塗布位置を補正する。その他の点は、前記実施例１〜３のいずれかと同じである。
【００３９】
以上説明した本実施例４では、接着剤ディスペンサ１１の交換毎に捨て打ちを行う必要がないため、生産タクトを短縮でき、生産性を向上させることができると共に、捨て打ちを行う場所の削減にもなる。
【実施例５】
【００４０】
図６に示す本発明の実施例５では、接着剤ディスペンサ１１の下面に、吐出ノズル１４と一定の位置関係で２個の点状の位置認識マーク３７，３８を形成している。そして、接着剤ディスペンサ１１の交換が行われる毎に、部品実装機の装着ヘッドに吸着保持された接着剤ディスペンサ１１の下面をカメラで撮像して、接着剤ディスペンサ１１の下面の２個の位置認識マーク３７，３８の位置を画像処理によって認識して、２個の位置認識マーク３７，３８と吐出ノズル１４の位置をそれぞれ頂点とする三角形を想定して、２個の位置認識マーク３７，３８の位置から吐出ノズル１４の位置（接着剤の塗布位置）を算出して、接着剤の塗布位置を補正する。その他の点は、前記実施例１〜３のいずれかと同じである。
【００４１】
以上説明した本実施例５では、前記実施例４と同様の効果が得られる。
尚、２個の点状の位置認識マーク３７，３８に代えて、例えば、１本の直線状の位置認識マークを形成して、この直線状の位置認識マークを底辺とし、吐出ノズル１４の位置を頂点とする三角形を想定して、吐出ノズル１４の位置を算出するようにしたり、或は、２個の位置認識マークを結ぶ直線の中央に吐出ノズル１４が位置するように構成して、吐出ノズル１４の位置を算出しても良い。
【図面の簡単な説明】
【００４２】
【図１】本発明の実施例１を示す接着剤ディスペンサの縦断側面図である。
【図２】接着剤ディスペンサの温度調節装置の制御系の構成を示すブロック図である。
【図３】接着剤の温度調整方法を説明するタイムチャートである。
【図４】接着剤温度管理プログラムの処理の流れを示すフローチャートである。
【図５】実施例４を説明する接着剤ディスペンサの下面図である。
【図６】実施例５を説明する接着剤ディスペンサの下面図である。
【符号の説明】
【００４３】
１１…接着剤ディスペンサ、１２…本体ケース、１３…シリンジ、１４…吐出ノズル、２１…入口、２２，２３…温度調節通路、２４…連通孔、２５…出口、２７…ナット部材、２８…円環状隙間、３１…空気温度調節装置（熱交換媒体温度調節手段）、３２…入口側空気温度センサ（入口側熱交換媒体温度検出手段）、３３…接着剤温度センサ（接着剤温度検出手段）、３４…接着剤温度管理用のコンピュータ（熱交換媒体温度調節手段）、３７，３８…位置認識マーク
【図１】
2008194579.tif 000003
【図２】
2008194579.tif 000004
【図３】
2008194579.tif 000005
【図４】
2008194579.tif 000006
【図５】
2008194579.tif 000007
【図６】
2008194579.tif 000008